【事件の表示】
　特許第６３５７９１９号発明「通信媒体」の特許異議申立事件について、次のとおり決定する。
【結　論】
　特許第６３５７９１９号の請求項〔１−５〕を，訂正請求書に添付された訂正後の請求項〔１−５〕のとおり訂正することを認める。
　特許第６３５７９１９号の請求項〔１−５〕に係る特許を維持する。
【理　由】
１　手続の経緯
　特許第６３５７９１９号の請求項１ないし請求項５に係る特許についての出願は，平成２６年６月３０日に出願され，平成３０年６月２９日にその特許権の設定登録がされ，平成３０年７月１８日に特許掲載公報が発行された。
　その後，その特許について，平成３１年１月１７日に特許異議申立人　藤江桂子により特許異議の申立てがされ，当審は，平成３１年４月４日に取消理由を通知した。特許権者は，その指定期間内である令和元年６月５日に意見書の提出及び訂正の請求を行い，その訂正の請求に対して，特許異議申立人　藤江桂子は，令和元年７月２２日に意見書を提出した。
２　訂正の適否についての判断
（１）訂正の内容
　本件訂正請求による訂正の内容は，以下のア，イ，ウのとおりである。
　ア　請求項１に係る「虚部の値の範囲」を「虚部の値が前記ＩＣチップに　　　供給される電力の変更によって変動する範囲内」に訂正する。
　イ　請求項２に係る「実部の値の範囲」を「実部の値における目標値が有　　　する範囲」に訂正する。
　ウ　請求項４に係る「実部の値の範囲」を「実部の値における目標値が有　　　する範囲内」に訂正する。
　本件訂正請求は，一群の請求項〔１−５〕に対して請求されたものである。
（２）訂正の目的の適否，新規事項の有無，及び特許請求の範囲の拡張・変更の存否
ア　請求項１に係る訂正について
　請求項１に係る訂正は，訂正前の請求項１における「虚部の値の範囲」が具体的にどのような範囲のことを特定するのかを明確にしようとするものである。また，当該訂正は，訂正前の請求項１における「第１結合コイルのインピーダンスの虚部の値」と，「非接触通信部の動作状態における前記通信端子の入力インピーダンスの虚部の値」とが，どのような関係となっているのかを明確にしようとするものである。
　よって，請求項１に係る「虚部の値の範囲」を「虚部の値が前記ＩＣチップに供給される電力の変更によって変動する範囲内」に変更する訂正は，特許法第１２０条の５第２項ただし書第３号に規定する明りょうでない記載の釈明を目的とするものであると認められる。
　なお，請求項１に係る訂正は，請求項１の「虚部の値の範囲」における「範囲」について，具体的な範囲を特定したものであり，カテゴリーや対象，目的を変更するものではないから，特許請求の範囲を拡張し，又は変更するものには該当しない。また，請求項１に係る訂正は，明細書の発明の詳細な説明の段落【００３９】に基づき導き出される事項であるから，願書に添付した明細書，又は特許請求の範囲に記載した事項の範囲内の訂正であると認められる。
イ　請求項２に係る訂正について
　請求項２に係る訂正は，訂正前の請求項２における「実部の値の範囲」が具体的にどのような範囲のことを特定するのかを明確にしようとするものである。
　よって，請求項２に係る「実部の値の範囲」を「実部の値における目標値が有する範囲」に変更する訂正は，特許法第１２０条の５第２項ただし書第３号に規定する明りょうでない記載の釈明を目的とするものである。
　なお，請求項２に係る訂正は，請求項２の「実部の値の範囲」における「範囲」について，具体的な範囲を特定したものであり，カテゴリーや対象，目的を変更するものではないから，特許請求の範囲を拡張し，又は変更するものには該当しない。また，請求項２に係る訂正は，明細書の発明の詳細な説明の段落【００５０】に基づき導き出される事項であるから，願書に添付した明細書，又は特許請求の範囲に記載した事項の範囲内の訂正であると認められる。
ウ　請求項４に係る訂正について
　請求項４に係る訂正は，訂正前の請求項３における「実部の値の範囲」が具体的にどのような範囲のことを特定するのかを明確にしようとするものである。
　よって，請求項４に係る「実部の値の範囲」を「実部の値における目標値が有する範囲内」に変更する訂正は，特許法第１２０条の５第２項ただし書第３号に規定する明りょうでない記載の釈明を目的とするものである。
　なお，請求項４に係る訂正は，請求項４の「実部の値の範囲」における「範囲」について，具体的な範囲を特定したものであり，カテゴリーや対象，目的を変更するものではないから，特許請求の範囲を拡張し，又は変更するものには該当しない。また，請求項４に係る訂正は，明細書の発明の詳細な説明の段落【００５０】に基づき導き出される事項であるから，願書に添付した明細書，又は特許請求の範囲に記載した事項の範囲内の訂正であると認められる。
（３）小括
　以上のとおりであるから，本件訂正請求による訂正は，特許法第１２０条の５第２項ただし書第１号及び第３号に掲げる事項を目的とするものであり，かつ，同条第９項において準用する同法第１２６条第５項及び第６項の規定に適合する。
　したがって，特許請求の範囲を，訂正請求書に添付された特許請求の範囲のとおり，訂正後の請求項〔１−５〕について訂正することを認める。
３　訂正後の本件発明
　本件訂正請求により訂正された請求項１，２，及び４に係る発明（以下「本件発明１，２及び４」という。）は，訂正特許請求の範囲の請求項１，２，及び４に記載された次の事項により特定されるとおりのものである。
ア　本件発明１
「通信端子を有した非接触通信部、および、接触通信部を備えるＩＣチップと、前記通信端子に接続された第１結合コイルとを備えるＩＣモジュールであって、前記第１結合コイルのインピーダンスの虚部の値が、前記非接触通信部の動作状態における前記通信端子の入力インピーダンスの虚部の値が前記ＩＣチップに供給される電力の変更によって変動する範囲内に含まれる前記ＩＣモジュールと、
　前記第１結合コイルとの電磁結合が可能に前記第１結合コイルの外側に配置されて前記第１結合コイルよりも小さいインダクタンスを有する第２結合コイルと、前記第２結合コイルと直列に接続されたアンテナとを備えて前記ＩＣモジュールが搭載された基体と、
　を備える通信媒体。」
イ　本件発明２
「前記第１結合コイルのインピーダンスの実部の値は、前記非接触通信部の動作状態における前記通信端子の入力インピーダンスの実部の値における目標値が有する範囲外である
　請求項１記載の通信媒体。」
ウ　本件発明４
「前記通信端子から見て前記ＩＣチップとは反対側であって、前記第１結合コイル、前記第２結合コイル、および、前記アンテナを含むインピーダンスの実部の値は、
　前記非接触通信部の動作状態における前記通信端子の入力インピーダンスの実部の値における目標値が有する範囲内に含まれ、かつ、前記非接触通信部の動作状態における通信周波数においてピークを有する周波数特性を有する
　請求項１から３のいずれか１つに記載の通信媒体。」
４　取消理由通知に記載した取消理由について
（１）取消理由の概要
　訂正前の請求項１ないし請求項５に係る特許に対して，当審が平成３１年４月４日に特許権者に通知した取消理由の要旨は，次のとおりである。
ア　訂正前の請求項１について
　訂正前の請求項１には，「前記第１結合コイルのインピーダンスの虚部の値が，前記非接触通信部の動作状態における前記通信端子の入力インピーダンスの虚部の値の範囲に含まれる」と記載されているが，当該記載における「虚部の値の範囲」とは，虚部の値のどのような「範囲」のことであるのかが特定されていないため，「虚部の値の範囲」とは，具体的にどのような「範囲」のことを特定しようとしているのかが不明確である。
　すなわち，上記訂正前の請求項１における「虚部の値の範囲」とは，本件特許明細書の段落【００３９】に記載されている「ＩＣチップに供給される電力の変更によって変動する虚部の値の変動範囲」を特定しようとしているのか，あるいは他の事項を特定しようとしているのかが不明確である。
　また，「第１結合コイルのインピーダンスの虚部の値」及び「非接触通信部の動作状態における前記通信端子の入力インピーダンスの虚部の値」とは，それぞれ，例えばどのような値のことであり，「前記第１結合コイルのインピーダンスの虚部の値が，前記非接触通信部の動作状態における前記通信端子の入力インピーダンスの虚部の値の範囲に含まれる」とは，どのような「第１結合コイルのインピーダンスの虚部の値」と，どのような「非接触通信部の動作状態における前記通信端子の入力インピーダンスの虚部の値」とが，どのような関係となっていることを特定しようとしているのかも不明確である。
　上記の点は，訂正前の請求項１を引用する訂正前の請求項２〜５についても同様である。
イ　訂正前の請求項２について
　訂正前の請求項２には，「前記第１結合コイルのインピーダンスの実部の値は，前記非接触通信部の動作状態における前記通信端子の入力インピーダンスの実部の値の範囲外である」と記載されているが，当該記載における「実部の値の範囲」とは，実部の値のどのような「範囲」のことであるのかが特定されていないため，「実部の値の範囲」とは，具体的にどのような「範囲」のことを特定しようとしているのかが不明確である。
　すなわち，上記訂正前の請求項２の「実部の値の範囲」とは，本件特許明細書の段落【００５０】に記載されている「実部の値の目標値の範囲」を特定しようとしているのか，あるいは他の事項を特定しようとしているのかが不明確である。
　上記の点は，訂正前の請求項２を引用する訂正前の請求項３〜５についても同様である。
ウ　訂正前の請求項４について
　訂正前の請求項４には，「前記通信端子から見て前記ＩＣチップとは反対側であって，前記第１結合コイル，前記第２結合コイル，および，前記アンテナを含むインピーダンスの実部の値は，前記非接触通信部の動作状態における前記通信端子の入力インピーダンスの実部の値の範囲に含まれ」と記載されているが，当該記載における「実部の値の範囲」とは，実部の値のどのような「範囲」のことであるのかが特定されていないため，「実部の値の範囲」とは，具体的にどのような「範囲」のことを特定しようとしているのかが不明確である。
　すなわち，上記訂正前の請求項４の「実部の値の範囲」とは，本件特許明細書の段落【００５０】に記載されている「実部の値の目標値の範囲」を特定しようとしているのか，あるいは他の事項を特定しようとしているのかが不明確である。
　上記の点は，訂正前の請求項４を引用する訂正前の請求項５についても同様である。 
エ　したがって，訂正前の請求項１〜５は明確でないから，請求項１〜５に係る特許は，特許法第３６条第６項第２号に規定する要件を満たしていない特許出願に対してされたものである。
（２）当審の判断
ア　本件発明１について
　本件訂正によって，「虚部の値の範囲」が「虚部の値が前記ＩＣチップに供給される電力の変更によって変動する範囲内」であることが特定され，また，当該訂正によって，「第１結合コイルのインピーダンスの虚部の値の範囲」とは，「入力インピーダンスの虚部の値がＩＣチップに供給される電力の変更によって変動する範囲」を下回るものでもなく，また，上回るものでもないことが明らかであるから，本件発明１は明確になったものと認められる。
イ　本件発明２について
　本件訂正によって，「実部の値の範囲」が「実部の値における目標値が有する範囲」であることが特定されたことから，本件発明２は明確になったものと認められる。
ウ　本件発明４について
　本件訂正によって，「実部の値の範囲」が「実部の値における目標値が有する範囲内」であることが特定されたことから，本件発明４は明確になったものと認められる。
エ　異議申立人の意見について
（ア）「虚部の値」について
ａ．特許異議申立人　藤江桂子は，意見書において，「「第１結合コイルのインピーダンスの虚部の値」が正の値、「非接触通信部の動作状態における前記通信端子の入力インピーダンスの虚部の値」が負の値になることは技術常識であるから（本件特許明細書の段落８３からも明白）、それらの一方が他方の範囲内に含まれることはありえず」と主張するが，虚部の値が絶対値で比較されることも当業者にとって技術常識であり，当該技術常識を参酌すれば，本件発明１の記載は明確であると認められることから，特許異議申立人の主張は認められない。
ｂ．特許異議申立人　藤江桂子は，意見書において，「「電力の変更」の意味が不明確である」と主張するが，明細書の発明の詳細な説明の段落【００４４】に，
「【００４４】
　なお、上述したように、通信端子４ａにおける
入力インピーダンスの虚部の値は、ＩＣチップ３に供給される電力の変化などによって若干変動する
と記載されるように，「電力の変更」とは，ＩＣチップ３に供給される「電力の変化」を意味するものであると解され，明細書の発明の詳細な説明を参酌すれば，当業者にとって不明確なものであるとまではいえない。
（イ）「実部の値の範囲」について
ａ．特許異議申立人　藤江桂子は，意見書において，「「目標値」の意味が不明確である」，及び「「目標値」が誰（何）によって、どの程度に設定されるのか、何らの説明もない」と主張するが，明細書の発明の詳細な説明の段落【００７３】に，
「【００７３】
　通信端子４ａ以降における
インピーダンスの実部の値の設定は、例えば、第２結合コイル８の巻線のターン数、線幅、線間ギャップ、開口面積、第１結合コイル４と第２結合コイル８との間の距離、第１結合コイル４と第２結合コイル８との間における磁気特性の設定によって実現される
と記載されるように，インピーダンスの実部の値の設定は，設計者によって適宜定めうるものであり，「実部の値における目標値」についても，実部の値の設定に応じて，設計者が適宜定めるものであると認められるから，特許異議申立人の主張は認められない。
オ　以上のとおりであるから，本件訂正請求による訂正は，特許法第１２０条の５第２項ただし書第３号に掲げる事項を目的とするものであり，かつ，同条第９項において準用する同法第１２６条第５項及び第６号の規定に適合する。
　したがって，特許請求の範囲を訂正請求書に添付された特許請求の範囲のとおり，訂正後の請求項〔１−５〕について訂正することを認める。
５　取消理由通知において採用しなかった特許異議申立理由について
　特許異議申立人　藤江桂子は，特許異議申立書において，訂正前の特許請求の範囲に関し，
ア　請求項１〜５は，甲１及び周知技術に基づき容易想到
イ　請求項１〜３は，甲１に記載されており，又は記載されているに等しい
ウ　請求項１〜５及び発明の詳細な説明は実施可能要件を満足しない
旨を主張する。しかしながら，
（１）上記アについて
　特許異議申立人　藤江桂子が，特許異議申立書において，
「［５］相違点（ｉｉ）について
ア．本件第１発明は、第２結合コイルが第１結合コイルよりも小さいインダクタンスを有することを特定している。
イ．上述したように、本件第１発明は、発明の課題及び効果は、従来アンテナの回路定数となる多数の候補を少なくとも含む数多くの組み合わせの中から一つの組み合わせを見出すという作業が必要であったことから、第１結合コイルの設計に要する負荷を軽減することであって（段落６、２０）、設計された回路定数自体が新しいわけではなく、第２結合コイルが第１結合コイルよりも小さいことも、第２結合コイルが第１結合コイルよりと同じである場合も、第２結合コイルが第１結合コイルよりも大きいことも、従来普通に用いられているものである。
　例えば、甲５（特開２０００−１３７７７９号公報）には、非接触で通信を行うＩＣカードに関し、１次側のコイル３４および２次側のブースター部２０のコイル２２によってアンテナが形成され、１次側のコイル３４は２次側のコイル２２の諸条件に応じて所望のインダクタンスに設計することが記載されている（段落５１及び図１）。
ウ．よって、上記相違点（ｉｉ）は、当業者が適宜設計しうる程度の事項にすぎない。」
と主張しているが，甲第５号証（特開２０００−１３７７７９号公報）（以下，「甲５」という。）の段落【００５１】には，
「【００５１】コイル３４はＩＣチップ３２に接続されると共にコイル２２と非接触に電磁結合されている。コイル３４とコイル２２は互いに密着又は微小ギャップにより近接して配置される。コイル３４は非接触ＩＣモジュール３０における通信部として機能する。コイル３４はコイル２２に密接又は近接して配置されるので、その通信距離はブースター部２０の（コイル２２の）通信距離に比べて非常に小さい。両コイルの配置の例については後述する。
コイル３４は、コイル２２との配置、実装面積、その他の条件に応じて所望の寸法、形状、自己インダクタンス、相互インダクタンスを有する
と記載されているに過ぎず，本件発明１の「第２結合コイルが第１結合コイルよりも小さいインダクタンスを有する」ことについて，甲５に記載も示唆もなされておらず，周知技術であるともいえない。
　したがって，他の相違点について判断するまでもなく，本件発明１は，当業者であっても，甲第１号証（国際公開第２０１３／０７３７０２号）に記載されている発明（以下，「甲１発明」という。）及び周知技術に基づいて容易に発明できたものであるとはいえない。
（２）上記イについて
　上記「（１）上記アについて」で検討したとおり，本件発明１は，甲１発明及び周知技術に基づいて容易に発明できたものであるとはいえないから，本件発明１は，“甲１発明に記載されており，又は記載されているに等しい”とはいえない。
（３）上記ウについて
　本件明細書の発明の詳細な説明の段落【００７１】に，
「【００７１】
　
第１結合コイル４の有するインピーダンスの虚部の値の設定は、例えば、第１結合コイル４における巻線のターン数、線幅、線間ギャップ、開口面積などの設定によって実現される
と記載されるように，「虚部の値の設定」は，第１結合コイル４における巻線のターン数，線幅，線間ギャップ，開口面積などの設定によって設計者が適宜設定しうるものであり，「虚部の値の範囲」についても，当該「虚部の値の設定」に応じて設計者が適宜定めうるものと認められるから，“本件の発明の詳細な説明には、本件発明１が、当業者が実施できる程度に記載されていない”とまではいえない。
６　むすび
　以上のとおりであるから，取消理由通知に記載した取消理由及び特許異議申立書に記載した特許異議申立理由によっては，本件請求項１ないし５に係る特許を取り消すことはできない。
　また，他に本件請求項１ないし５に係る特許を取り消すべき理由を発見しない。
　よって，結論のとおり決定する。
【異議決定日】
令和１年１０月１５日（２０１９．１０．１５）
【訂正の要旨】
審決（決定）の【理由】欄参照。
（５７）【特許請求の範囲】
　【請求項１】
　通信端子を有した非接触通信部、および、接触通信部を備えるＩＣチップと、前記通信端子に接続された第１結合コイルとを備えるＩＣモジュールであって、前記第１結合コイルのインピーダンスの虚部の値が、前記非接触通信部の動作状態における前記通信端子の入力インピーダンスの虚部の値
が前記ＩＣチップに供給される電力の変更によって変動する
内
　前記第１結合コイルとの電磁結合が可能に前記第１結合コイルの外側に配置されて前記第１結合コイルよりも小さいインダクタンスを有する第２結合コイルと、前記第２結合コイルと直列に接続されたアンテナとを備えて前記ＩＣモジュールが搭載された基体と、
　を備える通信媒体。
　【請求項２】
　前記第１結合コイルのインピーダンスの実部の値は、前記非接触通信部の動作状態における前記通信端子の入力インピーダンスの実部の値
における目標値が有する
　請求項１記載の通信媒体。
　【請求項３】
　前記基体は、前記アンテナと前記第２結合コイルとに直列に接続された平行平板コンデンサをさらに備え、前記アンテナ、前記平行平板コンデンサ、および、前記第２結合コイルが閉回路を構成し、
　前記閉回路における自己共振周波数は、前記非接触通信部の動作状態における通信周波数と等しい
　請求項１または請求項２に記載の通信媒体。
　【請求項４】
　前記通信端子から見て前記ＩＣチップとは反対側であって、前記第１結合コイル、前記第２結合コイル、および、前記アンテナを含むインピーダンスの実部の値は、
　前記非接触通信部の動作状態における前記通信端子の入力インピーダンスの実部の値
における目標値が有する
内
　請求項１から３のいずれか１つに記載の通信媒体。
　【請求項５】
　前記第１結合コイルと前記第２結合コイルとの間に磁性体をさらに備える
　請求項４記載の通信媒体。